(57)【特許請求の範囲】
【請求項１】
内槽屋根上に立てた多数の支持材を介して外槽屋根を組み立て、外槽屋根をエアレイジングして外槽側板に固定した後、内槽屋根の最外周部と外槽屋根の内面との間に多数のジャッキを立てて取り付け、該外槽屋根に支持材を介し吊られた内槽屋根を降下させて内槽側板上に設置する二重殻式タンクの内槽屋根設置方法において、各支持材に内槽屋根の吊り荷重がかかっている状態を維持しながら上記各ジャッキにも吊り荷重が作用しているようにして該各ジャッキにかかる荷重を調節して、上記支持材の全数にかかる荷重とジャッキの全数にかかる荷重がほぼ均等になるようにし、この状態で次に上記支持材を切断して内槽屋根と外槽屋根とを切り離して行き、最後に全ジャッキで内槽屋根を降下して内槽側板上に設置させるようにすることを特徴とする二重殻式タンクの内槽屋根設置方法。
【請求項２】
内槽屋根上に立てた多数の支持材を介して外槽屋根を組み立て、外槽屋根をエアレイジングして外槽側板に固定した後、内槽屋根の最外周部と外槽屋根の内面との間に多数のジャッキを立てて取り付け、該外槽屋根に支持材を介し吊られた内槽屋根を降下させて内槽側板上に設置する二重殻式タンクの内槽屋根設置方法において、各支持材に内槽屋根の吊り荷重がかかっている状態を維持しながら上記各ジャッキにも吊り荷重が作用しているようにして該各ジャッキにかかる荷重を調節して、上記支持材の全数にかかる荷重とジャッキの全数にかかる荷重がほぼ均等になるようにし、この状態で次に内槽屋根の中央部寄りに取り付けられている支持材を最初に切断し、順次半径方向外側に取り付けられている支持材を切断して内槽屋根と外槽屋根とを切り離して行き、最後に全ジャッキで内槽屋根を降下して内槽側板上に設置させるようにすることを特徴とする二重殻式タンクの内槽屋根設置方法。
【発明の詳細な説明】
【０００１】
【発明の属する技術分野】
本発明は二重殻式タンクの内槽屋根を外槽屋根と一緒にエアレイジングさせて内槽躯体頂部に設置させる方法に関するものである。
【０００２】
【従来の技術】
液化天然ガス（ＬＮＧ）貯蔵タンクの如き地上に設置される二重殻式タンクにおいて、外槽屋根をエアレイジングして建設するエアレイジング工法によりタンク建設を行う場合は、従来、図２（イ）（ロ）（ハ）に示すような手順で実施されていた。
【０００３】
すなわち、タンク設置部の底版１上に、外槽底板２を作って、その周辺に外槽側板３を立上げて行くようにすると共に、該外槽側板３の立上げに並行して図２（イ）に示す如く外槽底板２上で内槽屋根６を作り、該内槽屋根６上面に多数の型鋼からなる支持材７を直立状態に立てて、該支持材７上に外槽屋根４を組み立て、内槽屋根６上に支持材７を介して外槽屋根４を一体化させて外槽屋根４の荷重を全支持材７を介し内槽屋根６で受けるようにしている。そのために、内槽屋根６は、図３に示す如く、多数本の補強用骨部材６ａを屋根中心部より放射方向に配設すると共に、円周方向にも半径方向に位置をずらして径の異なる複数本の補強材６ｂを配設して、該放射方向の補強用骨部材６ａと円周方向の補強材６ｂとで骨組みし、これに屋根板を貼り付けた構成としてあり、外槽屋根４も同様に構成されていて、支持材７は、内槽屋根６の上記補強用骨部材６ａと補強材６ｂの交叉部と外槽屋根４の同様な両部材の交叉部との間に介在させてあり、しかも、中央部寄りよりも外周寄りほど周方向に配置する支持材７の数を多くして、各支持材７にかかる荷重が均一化するように配慮されている。
【０００４】
内槽屋根６の上方で外槽屋根４の組み立てが終了すると、外槽屋根４の外周面と外槽側板３の内周面との間にシール材９を介在させ、エアレイジング法にて外槽屋根４を浮上させるようにする。外槽屋根４が浮上させられると、これまで外槽屋根４を支持材７を介して支持していた内槽屋根６は、支持材７を介して外槽屋根４から吊られている状態になり、各支持材７には逆に吊り荷重が作用する状態になるが、上記した如き支持材７の配置により各支持材７にかかる吊り荷重は均一状態になっている。
【０００５】
外槽屋根４が所定位置まで浮上させられると、図２（ロ）の如く、該外槽屋根４を、外槽側板３の頂部に溶接にて固定させ、各支持材７にて内槽屋根６を吊っているようにする。この状態で外槽底板２上に、内槽底板（アニュラープレート）と内槽側板１０とからなる内槽５を構築する。内槽５が構築されると、次に内槽屋根６の最外周部の補強用骨部材６ａと補強材６ｂの各交叉部と、これに対応する外槽屋根４の内面との間に油圧ジャッキ８をそれぞれ介在させて取り付け、上記外槽屋根４から吊られている内槽屋根６を内槽側板１０上へ降下させて設置するようにしている。
【０００６】
従来の外槽屋根４から吊られている内槽屋根６を降下させて内槽側板１０上に設置する方法は、先ず、内槽屋根６の最外周部に取り付けた各油圧ジャッキ８を同期させて同時に短縮作動させることにより、各支持材７にかかっていた内槽屋根の吊り荷重を、各油圧ジャッキ８に受け持たせることによって零とし、次いで、各支持材７を一気に切断して内槽屋根６と外槽屋根４を切り離し、内槽屋根６を全油圧ジャッキ８で吊るようにする。次に、各油圧ジャッキ８を同期させて同時に伸長作動させることにより、内槽屋根６を降下させて内槽側板１０上に移し設置するようにしていた。
【０００７】
【発明が解決しようとする課題】
ところが、上記従来の内槽屋根６の設置方法では、多数の油圧ジャッキ８で内槽屋根６を持ち上げて各支持材７にかかっている吊り荷重を零にするようにして、一気に各支持材７を切断して内槽屋根６の全荷重を油圧ジャッキ８で受けるようにしているため、各油圧ジャッキ８を同時に短縮作動させて各支持材７にかかる荷重を零にするとき、支持材７には圧縮荷重が作用し、場所によっては支持材７により外槽屋根４を突き上げて強制変位を与えるおそれがある。各支持材７は、外槽屋根４の組み立て時に架台となったり、足場となったりするものであり、又、外槽屋根４の設置後は、長期間（約６カ月間）にわたり内槽屋根６を吊っているものでもあるため、充分な強度を有するものとしてあり、上記突き上げ力で外槽屋根４を変形させるおそれがある。
【０００８】
そこで、本発明は、内槽屋根の全重量をジャッキのみで受け持つときの支持材により外槽屋根に強制変形を生じさせるおそれがないようにする内槽屋根の設置方法を提供しようとするものである。
【０００９】
【課題を解決するための手段】
本発明は、上記課題を解決するために、内槽屋根上に立てた多数の支持材を介して外槽屋根を組み立て、且つ内槽屋根の最外周部と外槽屋根の内面との間に多数のジャッキを立てて取り付け、外槽屋根をエアレイジングして外槽側板に固定した後、該外槽屋根に支持材を介し吊られた内槽屋根を降下させて内槽側板上に設置する二重殻式タンクの内槽屋根設置方法において、各支持材に内槽屋根の吊り荷重がかかっている状態を維持しながら上記各ジャッキにも吊り荷重が作用しているようにして該各ジャッキにかかる荷重を調節して、上記支持材の全数にかかる荷重とジャッキの全数にかかる荷重がほぼ均等になるようにし、この状態で次に、上記支持材を切断して内槽屋根と外槽屋根とを切り離して行き、最後に全ジャッキで内槽屋根を降下して内槽側板上に設置させるようにする方法とし、又、内槽屋根の中央部寄りに取り付けられている支持材を最初に切断し、順次半径方向外側に取り付けられている支持材を切断して内槽屋根と外槽屋根とを切り離して行き、最後に全ジャッキで内槽屋根を降下して内槽側板上に設置させるようにする。
【００１０】
全ジャッキに内槽屋根の吊り荷重をかけても各支持材には吊り荷重がかかるようにしてあるため、ジャッキに荷重をかけたことにより支持材を突き上げて外槽屋根を強制変形させるおそれはなくなる。又、吊り荷重をかけた状態の支持材を順に切るので、最後までジャッキに大きな荷重が急にかかることはなく、更に、吊り荷重がかかっている支持材を切るので、切欠きを入れるだけで容易に且つ自動的に切断することができる。
【００１１】
【発明の実施の形態】
以下、本発明の実施の形態を図面を参照して説明する。
【００１２】
図１は本発明の実施の形態を示すもので、図２（ロ）に示すように、外槽底板２上で組み立てた外槽屋根４をエアレイジング法により浮上させて外槽側板３に固定させ、次いで、外槽底板２上に内槽５を構築する間、外槽屋根４から支持材７を介して内槽屋根６を吊り下げたままとし、内槽５が構築された後に、内槽屋根６を降下させて内槽側板１０上に設置するようにしてあり、又、図３と同様に内槽屋根６の最外周部と外槽屋根４の内面との間に多数の油圧ジャッキ８が取り付けてある構成において、内槽屋根６の降下に際して、内槽屋根６の全重量を全油圧ジャッキ８のみで支えるようにすることなく、該油圧ジャッキ８の全数と上記支持材７の全数へほぼ均等に荷重がかかるようにして、支持材７を順次切断して行くようにする。
【００１３】
詳述すると、多数本の支持材７を介して外槽屋根４から吊られている内槽屋根６の最外周部と外槽屋根４の内面との間に多数の油圧ジャッキ８が取り付けてある状態において、全油圧ジャッキ８を同期制御して該全油圧ジャッキ８にかかる荷重を調節し、各支持材７に内槽屋根６の吊り荷重がかかっている状態を維持しながら全油圧ジャッキ８にも吊り荷重が作用しているようにする。このとき、支持材７の全数と油圧ジャッキ８の全数へほぼ均等に荷重がかかる様に予め計算しておいた荷重を全油圧ジャッキ８に作用させておくようにし、この状態で図１に二点鎖線で示す如く内槽屋根６の中央部寄り支持材７、すなわち、半径方向内側の支持材７を最初に切り離して行く。この際、支持材７には、吊り荷重がかかっているので、切断のための切欠きを支持材７に入れることにより、該支持材７を吊り荷重に伴う引張り力により該切欠部から容易に且つ自動的に切断することができる。
【００１４】
内槽屋根６を吊っている支持材７のうち、内側の支持材７の切断が終ると、次に、その外側にある列の支持材７を同様に切断して行き、順次外側に取り付けられている支持材７の切断へと移って行き、最終的には全油圧ジャッキ８で内槽屋根６を吊るようにする。この場合、支持材７の本数は、半径方向の外側へ行くほど円周方向に配設されている数が多くなるようにしてあるため、円周方向に配設されている本数の少ない内側から外側へ順に切断して行くことにより最外側に位置する支持材７が切断されるまでは油圧ジャッキ８にかかる荷重を軽減できる。最終的に内槽屋根６が油圧ジャッキ８で吊られた状態になると、該全油圧ジャッキ８を伸長作動させて内槽屋根６を降下させ、内槽側板１０上に設置させるようにする。
【００１５】
上記において、全油圧ジャッキ８には、当初支持材７の全数とほぼ均等に荷重がかかるようにしてあって、全支持材７にも吊り荷重がかかっている状態にしてあることから、上記油圧ジャッキ８で内槽屋根６を吊る際に支持材７を突き上げるような外槽屋根４にかかる荷重は、従来の全荷重を油圧ジャッキ８で受けて全支持材７にかかる吊り荷重を零にする場合に比して、約２分の１から３分の１に減少させることができて、外槽屋根４に強制変形を生じさせるおそれをほとんどなくすことができる。
【００１６】
なお、図２は内槽屋根６の一例を示すものであり、補強用骨部材６ａの数は説明の便宜上少な目に表わしてあるが、実際には多くの本数となっていること、又、その本数に応じた数の油圧ジャッキ８が取り付けてあること、油圧ジャッキ８を例示したが、作動流体は油以外のものでもよいこと、その他本発明の要旨を逸脱しない範囲内で種々変更を加え得ることは勿論である。
【００１７】
【発明の効果】
以上述べた如く、本発明の二重殻式タンクの内槽屋根設置方法によれば、外槽屋根を内槽屋根上に立てた多数の支持材上に組み立てて、該外槽屋根をエアレイジングするとき外槽屋根から内槽屋根を支持材を介し吊っている状態とし、外槽屋根上に固定した外槽屋根から吊られている内槽屋根を降下させて内槽側板上に設置する方法において、内槽屋根の最外周部と外槽屋根の内面との間に多数のジャッキを、周方向へ並べて取り付けて、該ジャッキの全数と、内槽屋根と外槽屋根との間に介在させてある多数の支持材の全数に、ほぼ均等に吊り荷重がかかっているようにジャッキにかかる荷重を調節し、内槽屋根の中央部側に位置する支持材から外側の周方向に位置している支持材へと順に切断する如く支持材を順に切断した後、全ジャッキで内槽屋根を降下させて内槽側板上に設置するようにするので、全支持材には吊り荷重がかかっている状態のままであるためジャッキに荷重をかけても、ジャッキから外側屋根に支持材を突き上げるような荷重がかかることが少なくなって、外槽屋根に強制変形を生じさせるおそれがほとんどなくなると共に、支持材に切欠きを入れることにより容易に切断でき、又、支持材を順に切断して行くことにより最後まで大きな荷重がジャッキにかかることがなく、特に、半径方向内側に位置する支持材から外側に位置する支持材へと順に切断して行くことにより、外側に近いほど支持材の本数が多いことから荷重の偏りをなくすことができ、内槽屋根を安定して降下し設置することができる、等の優れた効果を奏し得る。
【図面の簡単な説明】
【図１】本発明の実施の一形態を示す概略側面図である。
【図２】従来の二重殻式タンクの外槽屋根を内槽屋根の上で組み立てて浮上させてから内槽屋根を降下させて設置までの過程を示すもので、（イ）は外槽屋根を組み立てた状態図、（ロ）は外槽屋根を浮上させて外槽側板に固定し内槽側板を構築した状態図、（ハ）は内槽屋根の全荷重をジャッキで受けて支持材を全部切り離した状態図である。
【図３】図２（ハ）における内槽屋根の一例を示す拡大平面図である。
【符号の説明】
２  外槽底板
３  外槽側板
４  外槽屋根
５  内槽
６  内槽屋根
７  支持材
８  油圧ジャッキ
１０  内槽側板
【図１】
0003982066.tif 000002
【図２】
0003982066.tif 000003
【図３】
0003982066.tif 000004